(57)【要約】      （修正有）【課題】手や指先の不自由な人が化粧ブラシを利用して化粧をしたり、小物を利用する際に使用する手障害者用補助具を提供する。【解決手段】支持具本体１に設けられた指を挿入する指挿入部４を設け、手で握ったり保持することなく指に差し込むことで、小物を利用することができる。支持具本体１が中間部に上部よりも幅が狭まったネック部とし、親指と他の指や隣接する指間で挟みこむことで、力をかけることなく利用できる。口径の異なる複数の保持機構を設けることで、１つで複数の利用対象物に対して利用することが可能となる。【選択図】図１
2005111959.tif 000002
【特許請求の範囲】
【請求項１】
支持具本体と、該支持具本体に設けられた化粧ブラシ、フォーク、スプーン、鉛筆や筆などの細い柄を有する小物の柄を挿入支持することのできる保持機構とよりなる手障害者用補助具。
【請求項２】
支持具本体に設けられた指を挿入する指挿入部を有するものであることを特徴とする請求項１記載の手障害者用補助具。
【請求項３】
支持具本体が中間部に上部よりも幅が狭まったネック部を有するものであることを特徴とする請求項１又は２記載の手障害者用補助具。
【請求項４】
口径の異なる複数の保持機構を有するものであることを特徴とする請求項１、２又は３記載の手障害者用補助具。
【請求項５】
角度の異なる複数の保持機構を有するものであることを特徴とする請求項１、２又は３記載の手障害者用補助具。
【請求項６】
支持具本体が硬質のケース体とケース内に装填された弾性を有する装填体とよりなることを特徴とする請求項１、２、３、４又は５記載の手障害者用補助具。
【発明の詳細な説明】
【技術分野】
【０００１】  本発明は、手や指先の不自由な人が化粧ブラシを利用して化粧をしたり、フォーク、スプーン、鉛筆や筆などの小物を利用する際に使用する手障害者用補助具に関するものである。
【背景技術】
【０００２】  従来、手が不自由な人が日常生活に必要な箸や鉛筆、筆などの柄を有する小物も使用する際、手で握ることができないため、人の手を借りるか、手にゴムや紐などで縛りつけていた。
箸を保持するものとして、弾性体に箸用の貫通孔を二つ設け、そこに箸を差し込んで使用するものがあった。
【特許文献１】  特開平１０−２２５３６１
【発明の開示】
【発明が解決しようとする課題】
【０００３】  これには次のような欠点があった。
人の手を借りたり、ゴムや紐で縛りつける方法にあっては、一人でその準備を行うことが困難であり、協力者が存在する状況でしか実施できなかった。
弾性体に箸用の貫通孔を二つ設けた箸の支持具にあっては、手で握ることのできる障害者にのみ利用可能であるとともに、その利用目的が箸に限定されていた。
本発明は、これらの欠点を解決するためになされたものである。
【課題を解決するための手段】
【０００４】  支持具本体と、該支持具本体に設けられた化粧ブラシ、フォーク、スプーン、鉛筆や筆などの細い柄を有する小物の柄を挿入支持することのできる保持機構と、支持具本体に設けられた指を挿入する指挿入部とにより構成される。
【発明の効果】
【０００５】  支持具本体と、該支持具本体に設けられた化粧ブラシ、フォーク、スプーン、鉛筆や筆などの細い柄を有する小物の柄を挿入支持することのできる保持機構とより構成されることで、細い柄を手で強く握れない障害者であっても、弱い力でこれら小物を利用することが可能となった。
支持具本体に設けられた指を挿入する指挿入部を設けることで、手で握ったり保持することなく指に差し込むことで、小物を利用することができる。
支持具本体が中間部に上部よりも幅が狭まったネック部としたことで、親指と他の指や隣接する指間で挟みこむことで、力をかけることなく利用できる。
口径の異なる複数の保持機構を設けることで、一つで複数の利用対象物に対して利用することが可能となる。
角度の異なる複数の保持機構を設けることで、利用方法に応じて使用する角度を設定することができ、利用効率を向上させることができる。
支持具本体が硬質のケース体とケース内に装填された弾性を有する装填体とよりなることで、外形を変形させることなく内側に押さえつける力が加わり、多様な素材を装填物として利用することができる。
【発明を実施するための最良の形態】
【０００６】  以下、本発明の実施の形態について図１から図６を利用して説明する。
図１は本発明の斜視図、図２は本発明の平面図、図３は本発明の底面図、図４は本発明の断面図、図５は本発明の使用状態を示す一部断面図、図６は本発明の使用状態図である。
本発明は、手や指先の不自由な人が化粧ブラシを利用して化粧をしたり、フォーク、スプーン、鉛筆や筆などの小物を利用する際に使用する手障害者用補助具に関するものである。
支持具本体１が図１に示すように中間部やや上部がくびれたネック部３となるような外形に形成されている。素材としては、形状が維持できる弾性素材よりなっている。更には、若干の防滑性があることが望ましい。
支持具本体１の上面中央から下方に挿入孔２が設けられている。口径は、化粧筆やペン、スプーンなどの挟持対象物を差し込むことでその弾性により挟持できる径となっている。
支持具本体１の下面中央から上方に指挿入部４が設けられている。指挿入部４の形状、口径は指を挿入した状態で保持できるものである。指は五指のうちどの指かは限定しないが、操作上から人指し指、中指、親指が好ましい。
図４において、挿入孔２と指挿入部４が支持具本体１内で連結しているが、連結の可否は問うものではない。【０００７】  本発明は、以上のような構成よりなり、以下のように使用する。
ここでは、化粧ブラシを利用した状態で説明する。
化粧ブラシ５の柄を挿入孔２に保持できる状態になるまで差し込み固定する。
これを指にはめて使用するときは、図５に示すように指を指挿入部４から差し込み固定する。この状態で手で握ることなく指に化粧ブラシ５を固定し、この状態で化粧をおこなう。
また、手でがっちり握らず、力をほとんどいれることなく挟み込むように支えて使用することもできる。図６に示すように、ネック部３を、親指と中指もしくはそれぞれの指の根元で挟みこむことで、保持し使用することも可能となる。
また，挿入孔２は弾性があるため、差し込む柄が円柱のものはもちろん、スプーンやフォークなどの平板状のものであっても，締め付け固定することが可能である。【０００８】  以下、挿入孔の設け方に関する応用事例を図７および図８を用いて説明する。
図７は本発明の応用事例の斜視図、図８は本発明の応用事例の斜視図である。
図７は、挿入孔２の角度および位置を変えたものである。前記事例では指の方向に対して延長する位置に挿入孔２が設けられていたが、使用に関し、その使用方法に応じて操作しやすい角度が存在する。それら用途にあわせて適した角度にすることで、より操作性を向上させることが可能となる。
図８は複数の挿入孔を設けた事例である。
図において挿入孔２ａ、２ｂ、２ｃはそれぞれ口径が異なり、それぞれ角度が異なるように設けられている。個数や口径、角度はここに上げる事例をはじめとし、各種設定することが可能である。【０００９】  以下、本発明の第二実施の形態について図９および図１０を用いて説明する。
図９は本発明の第二実施の斜視図、図１０は本発明の第二実施の分解斜視図である。
本事例においては、挿入孔２を大きめに設け、調整部材７を挿入孔２に嵌めこんで利用することにより、異なる利用対象物のサイズにあわせて使用することが可能である。調整部材７は支持具本体１と同じ素材であっても、そうでなくてもよいが、弾性があるものであればよい。調整部材７の外形サイズに関しては、挿入孔２の内径と同じでもよいが、若干大きめにすることで、抜けにくくなる。また、利用対象にあわせて、内径の異なる調整部材を複数利用することが好ましい。【００１０】  これを利用するときは、利用対象物にあわせて適したサイズの調整部材７を選択し、これを挿入孔２に挿入したうえで、化粧筆などの柄を差し込み固定して使用する。
また、調整部材７を入れる前に化粧筆などの柄を差し込み固定し、これを挿入孔２に差し込んで使用することも可能である。【００１１】  以下、本発明の第三実施の形態について図１１から図１３を用いて説明する。
図１１は本発明の第三実施の斜視図、図１２は本発明の第三実施の使用状態図、図１３は本発明の第三実施の使用状態図である。
本事例の発明は、図１１に示すように、支持具本体１の下部を球状に大きくし把握部８としたものである。大きさは手で握ることができる程度となっている。【００１２】  これを使用するときは、図１２に示すように前記事例と同様にネック部で支えるほかに、図１３に示すように把握部８を手で握り使用することも可能である。
また、図においては指挿入部はないが、これに設けることも可能である。この際、下面に設けることで、その開口部を床面にすることで、支持具本体の転がりを抑える役目も兼用できる。この際、より安定を図るために指挿入部の開口部を指保持に支障がでない範囲で広げると、より安定性を向上させることが可能となる。【００１３】  以下、本発明の第四実施の形態について図１４から図１６を用いて説明する。
図１４は本発明の第四実施の平面図、図１５は本発明の第四実施の断面図、図１６は本発明の第四実施の使用状態図である。
これは前記事例などと同様の弾性体を弱い力で手で握ることが保持できる形状となっている。
また、本事例では、支持具本体１の平面から、４つの挿入孔２ａ、２ｂ、２ｃ、２ｄが設けられている。この挿入孔２ａ、２ｂ、２ｃ、２ｄはそれぞれ口径が異なるものである。本図においては、挿入孔は４個設けられているが、数はこれに限定されるものではない。
挿入孔の位置および角度に関しても、これに限定されるものではない。位置に関しては側面などその他各面に設けることが可能である。各挿入孔の角度に関しても、その位置とあわせて使用状態を考えた時に利便性の高い角度にすることも可能である。
また、本事例においては、指による保持をおこなうために、指挿入部４ａ，４ｂが設けられている。これにより、片方のみを使用して指一本による保持、両方を利用した複数の指を利用しより安定した保持を可能とした。また、指挿入部４ｂのように任意角度に傾斜させて設けることにより、使用目的に応じて使用しやすい設定にすることも可能である。
指挿入部の個数に関しても、２個に限定されることはなく、１個、３個、４個等と設定可能である。【００１４】  以下、本発明の第五実施の形態について図１７および図１８を用いて説明する。
図１７は本発明の第五実施の平面図、図１８は本発明の第五実施の断面図である。
本事例においては、第四実施の形態と同様の形状のものを例に挙げて説明するが、これに限定されるものではない。
本発明は、硬質のケース１０により外形が形状づけられている。そして、平面部に４つの挿入口９ａ、９ｂ、９ｃ、９ｄが設けられている。このケース１０の中には弾性を有する装填体が装填されている。素材としては、前記各実施例にあげたものでもかまわないが、ケース１０を有することにより外形が維持されるので、外形を維持できないやわらかいものであってもよい。
装填体１１には、前記挿入口９ａ、９ｂ、９ｃ、９ｄの位置にあわせて、挿入孔２ａ、２ｂ、２ｃ、２ｄが設けられている。この挿入孔の口径は利用対象物を保持できるものであればよい。
また、装填体１１はケース１０の内体積と同様でもよいが、内圧が加わる程度に詰め込むことで、挿入口９ａ、９ｂ、９ｃ、９ｄの内側に押さえ込む力が加わるという効果を生み出す。
以上、各実施の形態を説明したが、本発明は挿入孔、指挿入部、支持具本体などの組み合わせは各種可能であり、これに限定されるものではない。
【図面の簡単な説明】
【００１５】
【図１】本発明の斜視図である。
【図２】本発明の平面図である。
【図３】本発明の底面図である。
【図４】本発明の断面図である。
【図５】本発明の使用状態を示す一部断面図である。
【図６】本発明の使用状態図である。
【図７】本発明の応用事例の斜視図である。
【図８】本発明の応用事例の斜視図である。
【図９】本発明の第二実施の斜視図である。
【図１０】本発明の第二実施の分解斜視図である。
【図１１】本発明の第三実施の斜視図である。
【図１２】本発明の第三実施の使用状態図である。
【図１３】本発明の第三実施の使用状態図である。
【図１４】本発明の第四実施の平面図である。
【図１５】本発明の第四実施の断面図である。
【図１６】本発明の第四実施の使用状態図である。
【図１７】本発明の第五実施の平面図である。
【図１８】本発明の第五実施の断面図である。
【符号の説明】
【００１６】１  支持具本体、                    ２：２ａ：２ｂ：２ｃ：２ｄ；２ｅ  挿入孔、
３  ネック部、                      ４；４ａ；４ｂ  指挿入部、
５  化粧ブラシ、                    ６  指、
７  調整部材、                      ８  握り手部、
９：９ａ：９ｂ：９ｃ：９ｄ  挿入口、１０  ケース、１１  装填体
【図１】
2005111959.tif 000003
【図２】
2005111959.tif 000004
【図３】
2005111959.tif 000005
【図４】
2005111959.tif 000006
【図５】
2005111959.tif 000007
【図６】
2005111959.tif 000008
【図７】
2005111959.tif 000009
【図８】
2005111959.tif 000010
【図９】
2005111959.tif 000011
【図１０】
2005111959.tif 000012
【図１１】
2005111959.tif 000013
【図１２】
2005111959.tif 000014
【図１３】
2005111959.tif 000015
【図１４】
2005111959.tif 000016
【図１５】
2005111959.tif 000017
【図１６】
2005111959.tif 000018
【図１７】
2005111959.tif 000019
【図１８】
2005111959.tif 000020